(57)【要約】【課題】工具を収納する収納部の高さ位置を容易に変更可能な工具棚を提供する。【解決手段】収納ユニット（引出し３０）を筐体（フレームユニット１０）に対して着脱可能に取付固定するための複数の固定部４１を備え、収納ユニットは、工具が収納される収納部（引出本体３２）と、固定部４１に固定されかつ該収納部を支持する支持部材（引出用フレーム３３）とを有し、複数の固定部４１は、支持部材が収納部に取り付けられた状態で、支持部材を固定部から取り外し可能に構成されており、工具棚１は、支持部材が固定部４１から取り外されたときに、収納ユニットの高さ位置を調整可能となるように構成されている。【選択図】図１
2020023016.tif 000002
【特許請求の範囲】
【請求項１】
工具を収納するための工具棚であって、
収納ユニットと、
上記収納ユニットが取り付けられる筐体と、
上下方向及び前後方向に並ぶように上記筐体に設けられ、上記収納ユニットを上記筐体に対して着脱可能に取付固定するための複数の固定部とを備え、
上記収納ユニットは、上記工具が収納される収納部と、上記固定部に固定されかつ該収納部を支持する支持部材とを有し、
上記複数の固定部は、上記支持部材が上記収納部に取り付けられた状態で、上記支持部材を上記固定部から取り外し可能に構成されており、
上記工具棚は、上記支持部材が上記固定部から取り外されたときに、上記収納ユニットの高さ位置を調整可能となるように構成されていることを特徴とする工具棚。
【請求項２】
請求項１に記載の工具棚において、
上記筐体は、複数のフレームで構成されたフレームユニットであり、
上記フレームユニットは、
互いに平行に上下方向に延び、コーナー部分に位置する４つのコーナーフレームと、
上下方向及び前後方向に直交する左右方向に相隣接する上記コーナーフレーム同士を、上側同士及び下側同士でそれぞれ連結するように左右方向に延びる二対の第１の連結フレームと、
前後方向に相隣接する上記コーナーフレーム同士を、上側同士及び下側同士でそれぞれ連結するように前後方向に延びる二対の第２の連結フレームと、
上記二対の第２の連結フレームを、前側同士及び後側同士で連結するように上下方向にそれぞれ延びる二対の補助フレームと、
を有し、
上記複数の固定部は、上記二対の補助フレームのそれぞれに設けられていて、
上記フレームユニットで囲まれた領域の内側に上記収納ユニットが配設されることを特徴とする工具棚。
【請求項３】
請求項１に記載の工具棚において、
上記筐体は、複数のフレームで構成されたフレームユニットであり、
上記フレームユニットは、
互いに水平方向に平行に延び、コーナー部分に位置する４つのコーナーフレームと、
上記各コーナーフレームの延びる方向を左右方向として、上下方向に相隣接する上記コーナーフレーム同士を、左側同士及び右側同士でそれぞれ連結するように上下方向に延びる二対の第３の連結フレームと、
前後方向に相隣接する上記コーナーフレーム同士を、左側同士及び右側同士でそれぞれ連結するように前後方向に延びる二対の第４の連結フレームと、
を有し、
上記複数の固定部は、上記第３の連結フレームのそれぞれに設けられていて、
上記フレームユニットで囲まれた領域の内側に上記収納ユニットが配設されることを特徴とする工具棚。
【請求項４】
請求項１〜３のいずれか１つに記載の工具棚において、
上記各固定部は、ボルトが挿通される挿通孔で構成されており、
上記支持部材は、上記ボルトがねじ込まれるボルト孔を有するとともに、上記挿通孔を挿通したボルトが上記ボルト孔に締結されることで、上記固定部に固定されることを特徴とする工具棚。
【請求項５】
請求項１〜４のいずれか１つに記載の工具棚において、
上記収納ユニットは、上記収納部としての引出本体と、上記支持部材としての引出用フレームとを有する引出しを含み、
上記引出本体は、上記引出用フレームに設けられたレールに取り付けられることで該引出用フレームに支持されることを特徴とする工具棚。
【請求項６】
請求項１〜５のいずれか１つに記載の工具棚において、
上記収納ユニットは、上記収納部としてのトレイと、上記支持部材としての一対の支持ロッドとを有するトレイユニットであり、
上記一対の支持ロッドは、水平方向に延びるように上記複数の固定部に固定されるとともに、一方の支持ロッドが相対的に前側の上記固定部に固定され、他方の支持ロッドが相対的に後側の上記固定部に固定されており、
上記トレイは、上記一対の支持ロッドの軸方向の中間部にそれぞれ係合する複数の係合部を有しており、
上記各係合部は、上記一方の支持ロッドの高さ位置と上記他方の支持ロッドの高さ位置とが異なる状態でも、上記一対の支持ロッドの上記中間部に係合可能に構成されていることを特徴とする工具棚。
【発明の詳細な説明】
【技術分野】
【０００１】
本発明は、工具棚に関する技術分野に属する。
【背景技術】
【０００２】
従来より、工具を収納可能な工具棚が知られている。
【０００３】
例えば、特許文献１には、上下方向に延びる２本の縦棒と、上方及び下方でこれら２本の縦棒同士の間に縦棒に直角に結合される横棒と、縦棒に形成されたスリット状のレール取付溝と、レール取付溝に支持されるブラケットレールとを有する側部材を、互いに対向して配置し、引出しとブラケットレールとを係合させて、引出しをスライド可能にした収納什器が開示されている。また、特許文献１には、収納什器は、作業現場での工具の収納に用いられる複数段の引出しを有する工具棚を含むことが開示されている。
【先行技術文献】
【特許文献】
【０００４】
【特許文献１】特開２０１３−２４４３７６号公報
【発明の概要】
【発明が解決しようとする課題】
【０００５】
ところで、ユーザーが工具を用いて作業を行う高さ位置は作業形態に応じて異なる。このため、出来る限りユーザーが取り出しやすい高さ位置に工具が収納されていることが望ましい。工具を工具棚の収納部から取り出してから収納位置を変えることもできるが、例えば、自動車の整備現場など、大量の工具が必要な場合には、工具の配置換えにかなり手間がかかってしまい作業効率の悪化を招いてしまう。
【０００６】
特許文献１に記載のような工具棚では、収納部（引出し）ごと工具の収納位置を変えることができる。特許文献１に記載の工具棚では、収納部をブラケットレールから取り外して、ブラケットレールをレール取付溝から取り外す必要があり手間がかかる。
【０００７】
本発明は、斯かる点に鑑みてなされたものであり、その目的とするところは、工具を収納する収納ユニットの高さ位置を容易に変更可能な工具棚を提供することにある。
【課題を解決するための手段】
【０００８】
上記課題を解決するために、本発明は、工具を収納するための工具棚を対象として、収納ユニットと、上記収納ユニットが取り付けられる筐体と、上下方向及び前後方向に並ぶように上記筐体に設けられ、上記各収納ユニットを上記筐体に対して着脱可能に取付固定するための複数の固定部とを備え、上記収納ユニットは、上記工具が収納される収納部と、上記固定部に固定されかつ該収納部を支持する支持部材とを有し、上記複数の固定部は、上記支持部材が上記収納部に取り付けられた状態で、上記支持部材を上記固定部から取り外し可能に構成されており、上記工具棚は、上記支持部材が上記固定部から取り外されたときに、上記収納ユニットの高さ位置を調整可能となるように構成されている、というものとした。
【０００９】
この構成によると、収納部が支持部材に支持された状態で、該支持部材を筐体の固定部から取り外すことができるため、収納ユニットを分解することなく、収納ユニットを固定部から取り外すことができる。これにより、収納ユニットを分解することなく、該収納ユニットの高さ位置を変えることができる。このため、例えば、収納ユニットが引出しのときには、引出しの収納部をレール等から取り外すことなく、引出しの高さ位置を変えることができる。したがって、工具を収納する収納ユニットの高さ位置を容易に変更することができる。
【００１０】
上記工具棚の一実施形態では、上記筐体は、複数のフレームで構成されたフレームユニットであり、上記フレームユニットは、互いに平行に上下方向に延び、コーナー部分に位置する４つのコーナーフレームと、上下方向及び前後方向に直交する左右方向に相隣接する上記コーナーフレーム同士を、上側同士及び下側同士でそれぞれ連結するように左右方向に延びる二対の第１の連結フレームと、前後方向に相隣接する上記コーナーフレーム同士を、上側同士及び下側同士でそれぞれ連結するように前後方向に延びる二対の第２の連結フレームと、上記二対の第２の連結フレームを、前側同士及び後側同士で連結するように上下方向にそれぞれ延びる二対の補助フレームと、を有し、上記複数の固定部は、上記二対の補助フレームのそれぞれに設けられていて、上記フレームユニットで囲まれた領域の内側に上記収納ユニットが配設される。
【００１１】
すなわち、収納ユニットの支持部材を固定部から取り外すときには、一時的に、ユーザーが手足で収納ユニットを支える必要があるが、筐体が複数のフレームで構成されていれば、筐体が壁部材等で構成されている場合と比較して、ユーザーが収納ユニットを支持しやすい。これにより、工具を収納する収納ユニットの高さ位置をより容易に変更することができる。
【００１２】
上記工具棚の他の実施形態では、上記筐体は、複数のフレームで構成されたフレームユニットであり、上記フレームユニットは、互いに水平方向に平行に延び、コーナー部分に位置する４つのコーナーフレームと、上記各コーナーフレームの延びる方向を左右方向として、上下方向に相隣接する上記コーナーフレーム同士を、左側同士及び右側同士でそれぞれ連結するように上下方向に延びる二対の第３の連結フレームと、前後方向に相隣接する上記コーナーフレーム同士を、左側同士及び右側同士でそれぞれ連結するように前後方向に延びる二対の第４の連結フレームと、を有し、上記複数の固定部は、上記第３の連結フレームのそれぞれに設けられていて、上記フレームユニットで囲まれた領域の内側に上記収納ユニットが配設される。
【００１３】
上記のように、筐体が複数のフレームで構成されていれば、筐体が壁部材等で構成されている場合と比較して、ユーザーが収納ユニットを支持しやすい。また、上記の構成では、固定部を第３の連結フレームに形成することで、固定部を設けるフレームを別途設けなくてもよい。フレームの数が削減できれば、ユーザーが収納ユニットを支持する際に、該ユーザーが手足を挿入できる隙間が大きくなる。これにより、工具を収納する収納ユニットの高さ位置を一層容易に変更することができる。
【００１４】
上記工具棚において、上記各固定部は、ボルトが挿通される挿通孔で構成されており、上記支持部材は、上記ボルトがねじ込まれるボルト孔を有するとともに、上記挿通孔を挿通したボルトが上記ボルト孔に締結されることで、上記固定部に固定されてもよい。
【００１５】
この構成によると、支持部材を固定部から取り外すのが容易になる。このため、工具を収納する収納ユニットの高さ位置をより一層容易に変更することができる。
【００１６】
上記工具棚において、上記収納ユニットは、上記収納部としての引出本体と、上記支持部材としての引出用フレームとを有する引出しを含み、上記引出本体は、上記引出用フレームに設けられたレールに取り付けられることで該引出用フレームに支持されてもよい。
【００１７】
すなわち、引出本体が引出用フレームに設けられたレールに取り付けられているため、従来であれば、引出しの引出本体の高さ位置を変える際は、引出本体を引き出し操作して、引出本体をレールから取り外し、レールの位置を変更してから、引出本体をレールに再度取り付けて、その後、引出本体を押し込み操作するという手順を取る必要があった。これに対して、上記の構成によると、引出本体を引き出し操作したり、引出本体をレールから取り外したりすることなく、引出用フレームを筐体の固定部から取り外すだけで引出しの高さ位置を変えることができる。このため、収納ユニットが引出しであったとしても、その高さ位置を変える作業の手間がかなり少ない。よって、工具を収納する収納ユニットの高さ位置を容易に変更するという効果を適切に発揮することができる。
【００１８】
上記工具棚において、上記収納ユニットは、上記収納部としてのトレイと、上記支持部材としての一対の支持ロッドとを有するトレイユニットであり、上記一対の支持ロッドは、水平方向に延びるように上記複数の固定部に固定されるとともに、一方の支持ロッドが相対的に前側の上記固定部に固定され、他方の支持ロッドが相対的に後側の上記固定部に固定されており、上記トレイは、上記一対の支持ロッドの軸方向の中間部にそれぞれ係合する複数の係合部を有しており、上記各係合部は、上記一方の支持ロッドの高さ位置と上記他方の支持ロッドの高さ位置とが異なる状態でも、上記一対の支持ロッドの上記中間部に係合可能に構成されていてもよい。
【００１９】
この構成によると、一方の支持ロッドの高さ位置と他方の支持ロッドの高さ位置とが異なる状態で、両支持ロッドに係合部をそれぞれ係合させると、トレイを水平方向に対して傾斜した状態にすることができる。これにより、工具を取り出し易くすることができる。
【発明の効果】
【００２０】
以上説明したように、本発明に係る工具棚によると、収納部が支持部材に支持された状態で、該支持部材を筐体の固定部から取り外すことができるため、収納ユニットを分解することなく、収納ユニットを固定部から取り外すことができる。これにより、収納ユニットごと収納部の高さ位置を変えることができ、工具を収納する収納ユニットの高さ位置を容易に変更することができる。
【図面の簡単な説明】
【００２１】
【図１】本発明の実施形態１に係る工具棚の構成を示す分解斜視図である。
【図２】フレームユニットの平面図である。
【図３】フレームユニットの側面図である。
【図４】図３のIV-IV線相当の断面図である。
【図５】工具棚の斜視図であって、引出本体が押し込まれた状態を示す。
【図６】図５のVI-VI線相当の断面図である。
【図７】左側の引出用フレームの横断面の一例を示す断面図である。
【図８】工具棚の斜視図であって、引出しの高さ位置を調整する途中の状態を示す。
【図９】実施形態２に係る工具棚の構成を示す分解斜視図である。
【図１０】実施形態２に係る工具棚の斜視図であって、引出本体が押し込まれた状態を示す。
【図１１】図１０のXI-XI線相当の断面図である。
【図１２】図１０のXII-XII線相当の断面図である。
【図１３】実施形態３に係る工具棚の構成を示す分解斜視図である。
【図１４】トレイユニットを下側から見た底面図である。
【図１５】トレイユニットを支持ロッドに直交する面で切断した断面図である。
【発明を実施するための形態】
【００２２】
以下、本発明の実施形態を図面に基づいて詳細に説明する。
【００２３】
図１は、実施形態１に係る工具棚１の棚ユニット１００の１つ分の構成を示す。この工具棚１は、筐体としてのフレームユニット１０に工具を収納するため収納ユニットとしての引出し３０を取り付けた状態で使用される。上記棚ユニット１００は、１つのフレームユニット１０に引出し３０を取り付けて構成されたもののことを意味する。以下の説明では、図１に矢印で示すように、引出し３０の収納部を構成する引出本体３２が引き出される側を前側といい、引出本体３２が押し込まれる側を後側という。また、後側から前側を見たときの左側を左側といい、右側を右側という。
【００２４】
工具棚１は、１つの棚ユニット１００で使用可能であり、複数の棚ユニット１００を上下方向、左右方向及び前後方向に並べて使用することもできる。複数の棚ユニット１００を上下方向、左右方向及び前後方向に並べて使用する場合には、隣接するフレームユニット１０同士が連結される。
【００２５】
〈フレームユニットの構成〉
フレームユニット１０は、図１に示すように、複数の金属製のフレームが、直方体のような形状をなすように配置されている。各フレームは、互いに一体的に接合されて構成されている。各フレームは、それぞれ中空になっている。
【００２６】
フレームユニット１０は、互いに平行に上下方向に延びかつコーナー部分に位置する４つのコーナーフレーム１１を有する。本実施形態１では、図２に示すように、上下方向から見て、コーナーフレーム１１は、四角形の各頂点、詳しくは、長方形の各頂点に位置するように配設されている。
【００２７】
フレームユニット１０は、図１及び図２に示すように、左右方向に相隣接するコーナーフレーム１１同士を、上下方向の一端側同士及び他端側同士でそれぞれ連結するように延びる二対の第１の連結フレーム１２を有する。フレームユニット１０は、図１及び図３に示すように、前後方向に相隣接するコーナーフレーム１１同士を、上下方向の一端側同士及び他端側同士でそれぞれ連結するように延びる二対の第２の連結フレーム１３を有する。
【００２８】
各コーナーフレーム１１は、図４及び図６に示すように、横断面がＬ字状をなしている。具体的には、図６に示すように、引出本体３２が押し込まれた状態で該引出本体３２が位置する側を内側として、外側に向かって開放されたＬ字状をなしている。
【００２９】
各コーナーフレーム１１のＬ字の開放側でかつ上下方向の両側の端部には、図１〜図４に示すように、複数のフレームユニット１０同士を連結固定するための連結固定部１７がそれぞれ設けられている。各連結固定部１７は、図２に示すように、Ｌ字の部分を直交する２辺とする正方形状をなしている。各連結固定部１７には、ボルト等の締結部材が挿通される挿通孔１７ａがそれぞれ形成されている。
【００３０】
各第１の連結フレーム１２は、図１に示すように、左右方向の端部が、コーナーフレーム１１の上下方向の端部にそれぞれ結合されている。各第１の連結フレーム１２は、図１及び図２に示すように、それぞれ、左右方向の中間部分が、左右方向の両側の端部よりも、前後方向の中央寄りに位置している。具体的には、相対的に前側に位置する第１の連結フレーム１２は、左右方向の中間部分が、左右方向の両側の端部よりも後側に位置しかつ左右方向に真っ直ぐに伸びている一方、相対的に後側に位置する第１の連結フレーム１２は、左右方向の中間部分が、左右方向の両側の端部よりも前側に位置しかつ左右方向に真っ直ぐに延びている。これにより、各第１の連結フレーム１２を、前後方向に対向する２つの第１の連結フレーム１２で構成される二組の第１の連結フレーム群１２０に分けたときに、該各第１の連結フレーム群１２０を構成する２つの第１の連結フレーム１２は、コーナーフレーム１１よりも前後方向の中央寄りに位置しかつ左右方向に沿って平行に延びる第１の平行部１２ａをそれぞれ有するようになる。
【００３１】
また、各第１の連結フレーム群１２０を構成する２つの第１の連結フレーム１２は、図１及び図２に示すように、第１の平行部１２ａにおける左右方向の両側の端部から、互いに離間するように近い側のコーナーフレーム１１に向かって傾斜して延びる第１の傾斜部１２ｂをそれぞれ有している。より具体的には、相対的に前側に位置する第１の連結フレーム１２については、左側に位置する第１の傾斜部１２ｂは左側に向かって前側に傾斜する一方、右側に位置する第１の傾斜部１２ｂは右側に向かって前側に傾斜している。一方で、相対的に後側に位置する第１の連結フレーム１２については、左側に位置する第１の傾斜部１２ｂは左側に向かって後側に傾斜する一方、右側に位置する第１の傾斜部１２ｂは右側に向かって後側に傾斜している。
【００３２】
第１の平行部１２ａと第１傾斜部１２ｂとの接続部分には、各第１の連結フレーム群１２０を構成する２つの第１の連結フレーム１２を、左側同士及び右側同士で前後方向にそれぞれ連結する第１の補強フレーム１４がそれぞれ設けられている。
【００３３】
第１の平行部１２ａには、複数の孔４２が等間隔に並んで設けられている。この孔４２は、本実施形態１では、後述する天板３５を取り付けるボルト（図示省略）が挿通する孔である。
【００３４】
各第２の連結フレーム１３は、図１及び図３に示すように、前後方向の端部が、コーナーフレーム１１における上下方向の端部よりも上下方向の中央寄りの部分にそれぞれ結合されている。各第２の連結フレーム１３は、図１及び図３に示すように、それぞれ、前後方向の中央部分が、前後方向の両側の端部よりも上下方向の中央寄りに位置している。具体的には、図３に示すように、相対的に上側に位置する第２の連結フレーム１３は、前後方向の中央部分が、前後方向の両側の端部よりも下側に位置する一方、相対的に下側に位置する第２の連結フレーム１３は、前後方向の中央部分が、前後方向の両側の端部よりも上側に位置する。これにより、各第２の連結フレーム１３を、上下方向に対向する２つの第２の連結フレーム１３で構成される二組の第１の連結フレーム群１３０に分けたときに、該各第２の連結フレーム群１３０を構成する２つの第１の連結フレーム１３は、前後方向の中央部１３ａが、前後方向の端部よりも互いに接近するようになる。
【００３５】
また、各第２の連結フレーム群１３０を構成する２つの第１の連結フレーム１３は、上記中央部１３ａから前側及び後側に向かって互いに離れるように上側及び下側に傾斜して延びる第２の傾斜部１３ｂをそれぞれ有している。より具体的には、相対的に上側に位置する第２の連結フレーム１３については、前側に位置する第２の傾斜部１３ｂは前側に向かって上側に傾斜する一方、後側に位置する第２の傾斜部１３ｂは後側に向かって上側に傾斜している。一方で、相対的に下側に位置する第２の連結フレーム１３については、前側に位置する第２の傾斜部１３ｂは前側に向かって下側に傾斜する一方、後側に位置する第２の傾斜部１３ｂは後側に向かって下側に傾斜している。
【００３６】
上下に対向する中央部１３ａには、各第２の連結フレーム群１３０を構成する２つの第２の連結フレーム１３を上下方向にそれぞれ連結する第２の補強フレーム１５がそれぞれ設けられている。
【００３７】
各第２の連結フレーム群１３０を構成する２つの第２の連結フレーム１３は、図３に示すように、第２の傾斜部１３ｂの中央部とは反対側の端部から、すなわち、前側の第２の傾斜部１３ｂは前側の端部から、後側の第２の傾斜部１３ｂは後側の端部からそれぞれ近い側のコーナーフレーム１１に向かって前後方向に沿って平行に延びる第２の平行部１３ｃをそれぞれ有している。第２の平行部１３ｃは、前側同士及び後側同士で、補助フレーム１６によりそれぞれ上下方向に連結されている。補助フレーム１６は、図１及び図５に示すように、引出し３０を、工具を収納可能状態で着脱可能に取付固定するためのフレームである。補助フレーム１６には、複数（本実施形態では５個）の固定部４１がそれぞれ設けられている。固定部４１は、上下方向に等間隔に並んでいる。第２の平行部１３ｃが前後方向に並んでいることにより、固定部４１は前後方向にも並んでいる。本実施形態では、固定部４１は、ボルト５０が挿通される挿通孔として構成されている。
【００３８】
固定部４１を構成する挿通孔は、図６に示すように、上記外側の孔の径が、上記内側の孔の径よりも大きくなるように設定されている。具体的には、上記内側の孔の径は、支持部４１に挿通されるボルト５０の軸部よりも大きくかつ頭部よりも小さい径である一方、上記外側の孔の径は、ボルト５０の頭部よりも大きい径である。
【００３９】
フレームユニット１０の上側の部分には、引出し３０の引出本体３２が引き込まれた状態で、最も上側に位置する引出本体３２の収納空間３１の内部が上方から見えないようにするための天板３５が取り付けられている。
【００４０】
〈引出しの構成〉
引出し３０は、収納部としての引出本体３２と、固定部４１に固定されかつ引出本体３２を支持する左右一対の引出用フレーム３３と、側板の後側に溶接等により接合される背面板３４と、左右の引出用フレーム３３の下端部にそれぞれ固定されたアンダーレール３６とを有する。また、図示は省略しているが、引出本体３２の底面には、アンダーレール３６と係合して引出本体３２をスライドさせるためのクリップが設けられている。
【００４１】
引出本体３２は、図１に示すように、上方が開放された箱状をなしている。引出本体３２は、図６に示すように、前壁部３２１と、該前壁部３２１と対向して後側に設けられた後壁部３２２と、前壁部３２１と後壁部３２２とを左側端部同士及び右側端部同士でそれぞれ上下方向に連結させる側壁部３２３と、引出本体３２の底を形成する底壁部とを有している。各壁部は互いに溶接により接合されている。また、側壁部３２３の前側端部には、図６に示すように、左側の側壁部３２３の内面と右側の側壁部３２３の内面とを連結する補強部材３２５が設けられている。補強部材３２５は、引出本体３２が変形しないように補強するための部材である。補強部材３２５と、左右の側壁部３２３と、後壁部３２２と、上記底壁部によって、工具が収納される収納空間３１が形成されている。
【００４２】
引出本体３２の前壁部３２１の左側端部及び右側端部には、引出本体３２を引き出し操作する際にユーザーが指をかける左側及び右側把手部３２６，３２７がそれぞれ設けられている。
【００４３】
左右の引出用フレーム３３は、それぞれ、２つの金属パネルを接合させて構成されている。具体的に左側の引出用フレーム３３について説明すると、図７に示すように、引出用フレーム３３は、相対的に外側（左側）に位置する外側パネル３３ａと、該外側パネル３３ａの内側（右側）の面における上下方向の中間に位置し、前後方向に延びる内側パネル３３ｂとを有している。内側パネル３３ｂは、外側に向かって開放された断面Ｕ字状をなしており、外側パネル３３ａと内側パネル３３ｂとで閉断面空間を形成している。
【００４４】
外側パネル３３ａには、図７に示すように、固定部４１に対応する部分に孔３３ｃが形成されており、外側パネル３３ａの内面には、孔３３ｃに対応する位置にウェルドナット３３ｄがそれぞれ設けられている。ウェルドナット３３ｄには、ボルト５０が締結される。つまり、引出用フレーム３３は、ボルト５０がねじ込まれるボルト孔を有している。
【００４５】
外側パネル３３ａの後側の部分は、図６に示すように、前側に向かってＵ字状に折り返されている。背面板３４は、図６に示すように、折り返えされた部分の内側部分に接するように取り付けられている。
【００４６】
内側パネル３３ｂには、図７に示すように、アンダーレール３６のアウターレール３６ａを取付固定するためのボルト孔３３ｅが設けられている。このボルト孔３３ｅには、ボルト５１が締結され、これにより、アンダーレール３６が引出用フレーム３３に取付固定されるようになっている。
【００４７】
アンダーレール３６のアウターレール３６ａには、インナーレール３６ｂが係合している。引出本体３２に設けられた上記クリップが、インナーレール３６ｂに載置するように取り付けられることで、引出本体３２がアンダーレール３６に取り付けられ、アンダーレール３６が引出本体３２を下側から支持するようになる。インナーレール３６ｂは、アウターレール３６ａに対して相対的にスライド移動可能になっている。インナーレール３６ｂがアウターレール３６ａに対してスライドすることで、引出本体３２が引き出し操作又は押し込み操作される。
【００４８】
引出し３０をフレームユニット１０に取り付ける際には、まず、左右の引出用フレーム３３の後側端部に背面板３４を取り付ける。次に、アンダーレール３６を左右の引出用フレーム３３にそれぞれ固定する。次いで、アンダーレール３６に引出本体３２を取り付ける。その後、左右の引出用フレーム３３をそれぞれ孔３３ｃと固定部４１とが対応するように、フレームユニット１０で囲まれた領域の内側に配置して、外側から固定部４１を介してボルト５０をウェルドナット３３ｄに締結することで、左右の引出用フレーム３３を固定部４１に固定する。以上により、引出し３０がフレームユニット１０で囲まれた領域の内側に取り付けられる。
【００４９】
このように、本実施形態１では、引出し３０がユニットとして組み上がった状態で、フレームユニット１０に取り付けられる。逆に、引出し３０をフレームユニット１０から取り外すときには、引出し３０がユニットとして組み上がった状態で、左右の引出用フレーム３３を固定部４１から取り外せばよい。このように、本実施形態１では、複数の固定部４１は、左右の引出用フレーム３３が引出本体３２に取り付けられた状態で、左右の引出用フレーム３３を固定部４１から取り外し可能に構成されている。
【００５０】
ここで、ユーザーが工具を用いて作業を行う高さ位置は作業形態に応じて異なる。このため、出来る限りユーザーが取り出しやすい高さ位置に工具が収納されていることが望ましく、工具棚１には、収納部（ここでは、引出本体３２）の高さ位置を容易に変更したいという要求がある。従来の工具棚では、収納ユニットを分解した状態でなければ、収納部の高さ位置を変えることができず、収納ユニットを再度組み立てる必要があり、手間がかかっていた。
【００５１】
これに対して、本実施形態１では、引出本体３２が引出用フレーム３３に支持された状態で、すなわち、引出し３０がユニットとして組み上がった状態（以下、組み上がった状態のものをユニットということがある）で、該引出用フレーム３３をフレームユニット１０の固定部４１から取り外すことができるため、引出し３０を分解することなく、引出し３０を固定部４１から取り外すことができる。引出用フレーム３３が固定部４１から取り外されて、引出し３０が固定部４１から取り外されれば、引出し３０は移動可能になるため、図８に示すように、引出し３０を上記ユニットごとフレームユニット１０から抜き出して、引出し３０の高さ位置を調整することができるようになる。このことから、本実施形態１の工具棚１は、引出用フレーム３３が固定部４１から取り外されたときに、引出し３０の高さ位置を調整可能となるように構成されている可能となるように構成されている。
【００５２】
上記のことにより、引出し３０を分解することなく、引出し３０の上記ユニットごと引出本体３２の高さ位置を変えることができる。詳しくは、引出本体３２をアンダーレール３６や引出用フレーム３３から取り外すことなく、引出本体３２の高さ位置を変えることができる。したがって、工具を収納する引出し３０の高さ位置を容易に変更することができる。
【００５３】
ここで、引出し３０の引出用フレーム３３を固定部４１から取り外すときには、一時的に、ユーザーが手足で引出し３０を支える必要がある。これに対して、本実施形態１では、筐体がフレームユニット１０で構成されているため、筐体が壁部材等で構成されている場合と比較して、ユーザーが筐体内に手足を入れやすく、引出し３０を支持しやすい。これにより、工具を収納する引出し３０の高さ位置を一層容易に変更することができる。
【００５４】
（実施形態２）
以下、実施形態２について、図面を参照しながら詳細に説明する。尚、前後方向及び左右方向については、上記実施形態１と同様の設定である。
【００５５】
図９は、実施形態２に係る工具棚２０１の棚ユニット２００の１つ分の構成を示す。この工具棚２０１は、筐体としてのフレームユニット２１０に工具を収納するため収納ユニットとしての引出し２３０とボックスユニット２６０とを取り付けた状態で使用される。以下の説明では、前後方向、左右方向及び上下方向については、図９の矢印に従う。
【００５６】
実施形態２のフレームユニット２１０は、上記実施形態１のフレームユニットを、第１の連結フレームが上下方向に延びるように配置した形状をなしており、上記実施形態１のフレームユニットと比べて上下方向に長くかつ左右方向に短い。具体的には、フレームユニット２１０は、互いに平行に左右方向に延びかつコーナー部分に位置する４つのコーナーフレーム２１１を有する。フレームユニット２１０は、図９に示すように、上下方向に相隣接するコーナーフレーム２１１同士を、左右方向の一端側同士及び他端側同士でそれぞれ連結するように上下方向に延びる二対の第１の連結フレーム２１２を有する。フレームユニット２１０は、図３に示すように、前後方向に相隣接するコーナーフレーム２１１同士を、左右方向の一端側同士及び他端側同士でそれぞれ連結するように前後方向に延びる二対の第２の連結フレーム２１３を有する。尚、第１の連結フレーム２１２は、請求項３の第３の連結フレームに相当し、第２の連結フレーム２１３は、請求項３の第４の連結フレームに相当する。
【００５７】
各コーナーフレーム２１１、各第１の連結フレーム２１２、及び、各第２の連結フレーム２１３の構成は、基本的には、上記実施形態１に係る工具棚のフレームユニット１０における各フレームの構成に対して、上下方向と左右方向とを入れ替えたものである。すなわち、第１の連結フレーム２１２の第１の平行部は、上下方向に沿って平行に延びる平行部であり、第１の連結フレーム２１２の第１の傾斜部については、相対的に前側に位置する第１の連結フレーム２１２は、上側に位置する第１の傾斜部は上側に向かって前側に傾斜する一方、下側に位置する第１の傾斜部は下側に向かって前側に傾斜している。一方で、相対的に後側に位置する第１の連結フレーム２１２は、上側に位置する第１の傾斜部は左側に向かって後側に傾斜する一方、下側に位置する第１の傾斜部は下側に向かって後側に傾斜している。
【００５８】
本実施形態２では、各第１の連結フレーム２１２の平行部には、図９に示すように、引出し２３０を、工具を収納可能状態で着脱可能に取付固定するための複数（本実施形態２では、それぞれ１１個）の固定部２４２がそれぞれ設けられている。固定部２４２は上下方向に等間隔に並んで形成されている。本実施形態では、固定部２４２は、ボルトが挿通される挿通孔で構成されている。
【００５９】
固定部２４２を構成する挿通孔は、図１１に示すように、上記実施形態１の固定部４１と同様に、上記外側の孔の径が、上記内側の孔の径よりも大きくなるように設定されている。具体的には、上記内側の孔の径は、固定部２４２に挿通されるボルト２５０の軸部よりも大きくかつ頭部よりも小さい径である一方、上記外側の孔の径は、ボルト２５０の頭部よりも大きい径である。
【００６０】
フレームユニット２１０の上側の部分には、引出し２３０の引出本体２３２が引き込まれた状態で、最も上側に位置する引出本体２３２の収納空間２３１の内部が上方から見えないようにするための天板２３５が取り付けられている。
【００６１】
引出し２３０は、左右方向の幅が小さいこと以外は、上記実施形態１と同じ構成である。すなわち、引出し２３０は、収納部としての引出本体２３２と、固定部２４２に固定されかつ引出本体３２を支持する左右一対の引出用フレーム２３３と、側板の後側に溶接等により接合される背面板２３４と、左右の引出用フレーム２３３の下端部にそれぞれ固定されたアンダーレール２３６と、引出本体２３２が引き込まれた状態で、最も上側に位置する引出本体２３２の収納空間２３１の内部が上方から見えないようにするための天板２３５とを有する。
【００６２】
引出本体２３２は、本実施形態２でも、上方が開放された箱状をなしている。引出本体２３２は、図１１に示すように、前壁部２３２１と、該前壁部２３２１と対向して後側に設けられた後壁部２３２２と、前壁部２３２１と後壁部２３２２とを左側端部同士及び右側端部同士でそれぞれ上下方向に連結させる側壁部２３２３と、引出本体２３２の底を形成する底壁部とを有している。各壁部は互いに溶接により接合されている。また、側壁部２３２３の前側端部には、図１１に示すように、左側の側壁部２３２３の内面と右側の側壁部２３２３の内面とを連結する補強部材２３２５が設けられている。補強部材２３２５は、引出本体２３２が変形しないように補強するための部材である。補強部材３２５と、左右の側壁部２３２３と、後壁部２３２２と、上記底壁部によって、工具が収納される収納空間２３１が形成されている。
【００６３】
本実施形態２でも、引出本体２３２の前壁部２３２１の左側端部及び右側端部には、引出本体３２を引き出し操作する際にユーザーが指をかける左側及び右側把手部２３２６，２３２７がそれぞれ設けられている。
【００６４】
本実施形態２でも、上記実施形態１と同様に、左右の引出用フレーム２３３は、それぞれ、外側パネル２３３ａと内側パネル２３３ｂとを有している。外側パネル２３３ａには、固定部２４２に対応する部分に孔２３３ｃ（図９参照）が形成されており、外側パネル２３３ａの内面には、孔２３３ｃに対応する位置にウェルドナット２３３ｄがそれぞれ設けられている。ウェルドナット２３３ｄには、ボルト２５０が締結される。つまり、本実施形態２でも、引出用フレーム２３３は、ボルト２５０がねじ込まれるボルト孔を有している。
【００６５】
アンダーレール２３６は、左右の引出用フレーム２３３の内側の部分にそれぞれ固定される。引出本体２３２は、アンダーレール２３５に載置するように取り付けられる。これにより、左右の引出用フレーム２３３は、アンダーレール２３６を介して、引出本体２３２を支持する。
【００６６】
本実施形態２でも、上記実施形態１と同様に、引出し２３０をフレームユニット２１０に取り付ける際には、引出し２３０を組み上げてから、外側から固定部２４２及び孔２３３ｃを介してボルト２５０をウェルドナット２３３ｄにそれぞれ締結することで、左右の引出用フレーム２３３を固定部２４２に固定する。以上により、引出し２３０がフレームユニット２１０で囲まれた領域の内側に取り付けられる。
【００６７】
ボックスユニット２６０は、収納空間２６１を有する収納部としてのボックス本体２６２と、第１の連結フレーム２１２の固定部２４２にそれぞれ固定される支持部材としての左右一対のボックス用フレーム２６３とを有する。
【００６８】
左右のボックス用フレーム２６３は、図１２に示すように、引出用フレーム２３３と同様に、相対的に外側に位置する外側パネル２６３ａと、該外側パネル２６３ａの内側（右側）の面における上下方向の中間に位置し、前後方向に延びる内側パネル２６３ｂとを有している。外側パネル２６３ａには、固定部２４２に対応する部分に、外側孔２６３ｃ（図９参照）がそれぞれ設けられている。外側パネル２６３ａの内面には、外側孔２６３ｃに対応する位置にウェルドナット２６３ｄがそれぞれ設けられている。内側パネル２６３ｂには、内側孔２６３ｅ（図９参照）が、前側部分及び後側部分に１つずつ設けられている。図１２に示すように、前側の内側孔２６３ｅは前側の外側孔２６３ｃよりも前側に位置し、後側の内側孔２６３ｅは後側の外側孔２６３ｃよりも後側に位置する。内側パネル２６３ｂの内面には、内側孔２６３ｅに対応する位置にウェルドナット２６３ｆがそれぞれ設けられている。
【００６９】
ボックス本体２６２の左右の側壁には、内側孔２６３ｅに対応する部分に、貫通孔２６２ａ（図９参照）がそれぞれ設けられている。
【００７０】
ボックスユニット２６０をフレームユニット２１０に取り付けるときには、先ず、ボックス本体２６２と左右のボックス用フレーム２６３とを、ボックス本体２６２の貫通孔２６２ａと各ボックス用フレーム２６３の内側孔２６３ｅとが一致するように位置合わせをする。次に、ボルト２５２を各貫通孔２６２ａ及び各内側孔２６３ｅを介して、ウェルドナット２６３ｆに締結させる。これにより、ボックスユニット２６０がユニットとして組み上がる。
【００７１】
次いで、各ボックス用フレーム２６３の各外側孔２６３ｃと固定部２４２とが一致するように、ボックスユニット２６０をフレームユニット２１０の内側に配置して、各固定部２４２及び各外側孔２６３ｃを介してボルト２５３をウェルドナット２６３ｄに締結させる。これにより、各ボックス用フレーム２６３がフレームユニット２１０の固定部２４２に固定されるとともに、ボックス本体２６２が左右のボックス用フレーム２６３に支持される。
【００７２】
本実施形態２のように、ボックスユニット２６０を、引出し２３０との間に隙間を空けてフレームユニット２１０の下側の部分に支持させると、ボックスユニット２６０の収納空間２６１をはみ出るような大型の工具を、該ボックスユニット２６０内に収納できる。これにより、工具棚２０１の利便性が向上する。
【００７３】
本実施形態２でも、引出し２３０がユニットとして組み上がった状態で、フレームユニット２１０に取り付けられるため、逆に、引出し２３０をフレームユニット２１０から取り外すときには、引出し２３０がユニットとして組み上がった状態で、左右の引出用フレーム２３３を固定部２４２から取り外せばよい。また、収納ユニットがボックスユニット２６０である場合でも、ボックスユニット２６０がユニットとして組み上がった状態で、フレームユニット２１０に取り付けられるため、逆に、ボックスユニット２６０をフレームユニット２１０から取り外すときには、ボックスユニット２６０がユニットとして組み上がった状態で、左右のボックス用フレーム２６３を固定部２４２から取り外せばよい。したがって、本実施形態２では、引出し２３０及びボックスユニット２６０を分解することなく、引出し２３０及びボックスユニット２６０を固定部２４２から取り外すことができる。これにより、収納ユニット（引出し２３０及びボックスユニット２６０）を分解することなく、収納部（引出本体２３２及びボックス本体２６２）の高さ位置を変えることができる。よって、工具を収納する収納ユニットの高さ位置を容易に変更することができる。
【００７４】
また、本実施形態２では、固定部２４２が第１の連結フレーム２１２に形成されているため、上記実施形態１と比較して、左右方向に位置するフレーム数が少なく、フレームユニット２１０における左右方向の隙間が大きくなっている。これにより、収納ユニット（引出し２３０及びボックスユニット２６０）の高さ位置を変えるときに、ユーザーが収納ユニットを支持しやすくなる。これにより、工具を収納する収納ユニットの高さ位置をより一層容易に変更することができる。
【００７５】
（実施形態３）
以下、実施形態３について、図面を参照しながら詳細に説明する。尚、以下の説明において上記実施形態１又は２と共通の部分については、同じ符号を付して、その詳細な説明を省略する。前後方向、左右方向及び上下方向については、図１３の矢印に従う。また、以下の説明では、上記実施形態２と同じ構成のフレームユニット２１０に収納ユニットが取り付けられる場合について説明する。
【００７６】
本実施形態３では、図１３に示すように、収納ユニットがトレイユニット３３０で構成されている点で、上記実施形態１及び２とは異なる。トレイユニット３３０は、工具を載置することで収納する収納ユニットである。
【００７７】
トレイユニット３３０は、収納部としてのトレイ３３１と、支持部材としての一対の支持ロッド３３２とを有する。トレイ３３１は、トレイ本体３３１ａと、トレイ本体３３１ａの前側に位置しかつトレイ本体３３１ａに対して略垂直に立設されたストッパ３３１ｂと、トレイ本体３３１ａの前側端部とストッパ３３１ｂの下端部とを連結される連結部材３３１ｃとを有する。トレイ３３１は、図１５に示すように、トレイ本体３３１ａ、ストッパ３３１ｂ及び連結部材３３１ｃが組み合わさった状態で、側面視でＬ字状をなしている。
【００７８】
図１４に示すように、トレイ本体３３１ａの下面には、フレームユニット２１０に固定された支持ロッド３３２の軸方向の中間部（後述するロッド部３３２ｂ）にそれぞれ係合する複数の係合部３３５が設けられている。詳しくは、複数の係合部３３５は、長手方向の一側に設けられた左右一対の第１の係合部３３５ａと、長手方向の他側に設けられたに４個設けられた第２の係合部３３５ｂとに分けられる。第２の係合部３３５ｂは、左右一対の組が前後方向に２組できるように、左側及び右側にそれぞれ２つずつ設けられている。第２の係合部３３５ｂのうち相対的に上記長手方向の上記一側に位置する第２の係合部３３５ｂは、相対的に上記長手方向の上記他側に位置する第２の係合部３３５ｂよりも上記長手方向の幅が長くなっている。詳しくは後述するが、第１の係合部３３５ａは側面視で略円筒状をなしている。
【００７９】
一対の支持ロッド３３２は、軸方向の両端部にそれぞれ設けられかつフレームユニット２１０の固定部２４２に取付固定される取付部３３２ａと、両取付部３３２ａを連結するように延びかつ断面円柱状をなすロッド部３３２ｂと、をそれぞれ有する。取付部３３２ａは、それぞれボルト孔で構成されている。ロッド部３３２ｂは、支持ロッド３３２の軸方向の中間部に相当する。
【００８０】
トレイユニット３３０をフレームユニット２１０に取り付けるときには、先ず、トレイ本体３３１ａ、ストッパ３３１ｂ及び連結部材３３１ｃを組み合わせてＬ字状のトレイ３３１を組み立てる。次に、一対の支持ロッド３３２の各ロッド部３３２ｂとトレイ３３１の係合部３３５とを係合させる。このとき、一対の支持ロッド３３２のうち一方の支持ロッド３３２（以下、前側支持ロッド３３３という）は、一対の第１の係合部３３５ａとそれぞれ係合させ、他方の支持ロッド３３２（以下、後側支持ロッド３３４という）は、２組の左右一対の第２の係合部３３５ｂのうち１組の第２の係合部３３５ｂとそれぞれ係合させる。
【００８１】
次いで、前側支持ロッド３３３が前側、後側支持ロッド３３４が後側に位置するように、フレームユニット２１０の固定部２４２とそれぞれ位置合わせをする。その後、各取付部３３２ａを固定部２４２にボルト３５０で固定する。これにより、トレイユニット３３０がフレームユニット２１０に取り付けられる。
【００８２】
このように、本実施形態３では、トレイユニット３３０がユニットとして組み上がった状態で、フレームユニット２１０に取り付けられるため。逆に、トレイユニット３３０をフレームユニット２１０から取り外すときには、トレイユニット３３０がユニットとして組み上がった状態で、一対の支持ロッド３３２を固定部２４２から取り外せばよい。したがって、本実施形態３では、トレイユニット３３０を分解することなく、トレイユニット３３０を固定部２４２から取り外すことができる。これにより、トレイユニット３３０を分解することなく、トレイユニット３３０ごとトレイ３３１の高さ位置を変えることができる。よって、工具を収納するトレイユニット３３０の高さ位置を容易に変更することができる。
【００８３】
ここで、本実施形態３では、図１５に示すように、トレイユニット３３０は、前側支持ロッド３３３の高さ位置と後側支持ロッド３３４の高さ位置とが異なる状態でも、詳しくは、後側支持ロッド３３４の高さ位置が前側支持ロッド３３３よりも高い位置であっても、フレームユニット２１０に取り付け可能となっている。詳しくは、第２の係合部３３５ｂが前後方向に並んでいることにより、後側支持ロッド３３４の高さ位置に対応した係合位置で、後側支持ロッド３３４と第２の係合部３３５ｂとを係合させればよくなっている。これらにより、後側支持ロッド３３４の高さ位置が前側支持ロッド３３３よりも高い位置であっても、フレームユニット２１０に取り付け可能となっている。すなわち、本実施形態３では、各係合部３３５は、前側支持ロッド３３３の高さ位置と後側支持ロッド３３４の高さ位置とが異なる状態でも、一対の支持ロッド３３２のロッド部３３２ｂに係合可能に構成されている。
【００８４】
トレイユニット３３０が、後側支持ロッド３３４の高さ位置が前側支持ロッド３３３よりも高い位置であっても、フレームユニット２１０に取り付け可能となっていることにより、トレイ３３１を水平方向に対して傾斜した状態、詳しくは、前側に向かって下側に傾斜した状態にすることができる。本実施形態３では、図１５に示すように、上記長手方向の上記一側の第２の係合部３３５ｂにおける該一側の部分と後側支持ロッド３３４とが係合した状態で、トレイユニット３３０がフレームユニット２１０に取り付けられたときに、トレイ３３１が水平になるようになっている。そして、後側支持ロッド３３４を、上記長手方向の上記他端側に位置する第２の係合部３３５ｂと係合させたときには、トレイ３３１の水平方向に対する傾斜角度が最も大きくなるようになっている。本実施形態３では、第２の係合部３３５ｂと支持ロッド３３２との係合位置を調整することで、図１５に示すように、トレイ３３１の水平方向に対する傾斜角度（０°を含む）が３段階で変化可能になっている。これにより、トレイ３３１に収納された工具を取り出し易くすることができる。
【００８５】
ここで、トレイ３３１の水平方向に対する傾斜角度が小さいとき（ここでは、２段階目の傾斜角度のとき）には、後側支持ロッド３３２と第２の係合部３３５ｂとの相対位置の変化が小さい。そのため、本実施形態３では、上記長手方向の上記一側に位置する第２の係合部３３５ｂの該長手方向の幅を長くして、トレイ３３１の水平方向に対する傾斜角度が小さいときでも、後側支持ロッド３３２と第２の係合部３３５ｂとが係合し易いようにしている。
【００８６】
また、本実施形態３では、トレイ３３１の前側に、ストッパ３３１ｂが設けられているため、トレイ３３１が前側に向かって下側に傾斜した状態であっても、トレイ３３１に収納された工具がトレイ３３１から落ちることはない。
【００８７】
さらに、本実施形態３では、第１の係合部３３５ａが、側面視で略円筒状をなしていることにより、図１５に示すように、トレイ３３１は、後側支持ロッド３３４が固定部２４２に固定されていないか又は後側支持ロッド３３４と第２の係合部３３５ｂとの係合が解除された状態において、前側支持ロッド３３３周りに回動可能となっている。これにより、図１５に示すように、前側支持ロッド３３３が固定部２４２に固定されたままの状態で、トレイ３３１の水平方向に対する傾斜角度を変更することができる。この結果、ユーザーの使用環境に応じて、トレイ３３１の水平方向に対する傾斜角度を容易に変更することができ、トレイ３３１に収納された工具をより取り出し易くすることができる。
【００８８】
（その他の実施形態）
本発明は、上記実施形態に限られるものではなく、請求の範囲の主旨を逸脱しない範囲で代用が可能である。
【００８９】
例えば、上述の実施形態１〜３では、フレームユニット１０では、複数の金属製のフレームが、直方体のような形状をなすように配置されていたが、これに限らず、複数の金属製のフレームが、立方体のような形状をなすように配置されていてもよい。
【００９０】
また、上述の実施形態１〜３では、収納ユニットは引出し３０，２３０及びトレイユニット３３０であったが、これに限らず、固定部４１，２４１に固定される箱体からなるボックスユニットであってもよい。
【００９１】
さらに、上述の実施形態１〜３では、収納ユニットが１種類のみ設けられている場合について説明したが、これに限らず、複数種類の収納ユニットを設けられていてもよい。例えば、実施形態２の引出し２３０と実施形態３のトレイユニット３３０とを、１つのフレームユニット２１０に取り付けるようにしてもよい。
【００９２】
また、上述の実施形態２では、第１の連結フレーム２１２の第１の平行部に固定部２４２が設けられていたが、これに限らず、第１の連結フレーム２１２とは別に、固定部２４２を形成するための補助フレームが設けられていてもよい。
【００９３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００９４】
本発明は、工具を収納するための工具棚として有用である。
【符号の説明】
【００９５】
１，２０１    工具棚
１０，２１０    フレームユニット
１１，２１１    コーナーフレーム
１２    第１の連結フレーム
１３    第２の連結フレーム
１６    補助フレーム
３０，２３０    引出し（収納ユニット）
３２，２３２    引出本体（収納部）
３３，２３３    引出用フレーム（支持部材）
３６，２３６    アンダーレール
４１，２４１    固定部
２１２    第１の連結フレーム（第３の連結フレーム）
２１３    第２の連結フレーム（第４の連結フレーム）
２６０    ボックスユニット（収納ユニット）
２６２    ボックス本体（収納部）
２６３    ボックスフレーム（支持部材）
３３０    トレイユニット（収納ユニット）
３３１    トレイ（収納部）
３３２    支持ロッド（支持部材）
３３２ｂ    ロッド部（支持ロッドの軸方向の中間部）
３３３    前側支持ロッド（一方の支持ロッド）
３３４    後側支持ロッド（他方の支持ロッド）
３３５    係合部
【図１】
2020023016.tif 000003
【図２】
2020023016.tif 000004
【図３】
2020023016.tif 000005
【図４】
2020023016.tif 000006
【図５】
2020023016.tif 000007
【図６】
2020023016.tif 000008
【図７】
2020023016.tif 000009
【図８】
2020023016.tif 000010
【図９】
2020023016.tif 000011
【図１０】
2020023016.tif 000012
【図１１】
2020023016.tif 000013
【図１２】
2020023016.tif 000014
【図１３】
2020023016.tif 000015
【図１４】
2020023016.tif 000016
【図１５】
2020023016.tif 000017